(57)【要約】  【課題】異常が発生した場合においてジョブデータの消失を防止すると共に、長時間ジョブの再開ができない場合であってもジョブを完了させることができる画像形成装置を提供する。  【解決手段】外部記憶装置Ｘと画像形成装置Ａ、Ｂとが接続された画像形成システムにおける画像形成装置Ａ、Ｂであって、ジョブデータを入手する入手手段（Ｐ３０３、９０３）と、ジョブ引継ぎデータをジョブデータに添付して外部記憶装置Ｘに送信して記憶させる登録手段（Ｐ９０１、９０３）と、ジョブデータに基づくジョブを実行する実行手段（Ｐ３０６、３１４）と、ジョブが正常に完了した際に外部記憶装置Ｘに記憶させたジョブ引継ぎデータが添付されたジョブデータを削除する抹消手段（Ｐ３１６）とを備える。  【選択図】図２１
2009015360.tif 000002
【特許請求の範囲】
【請求項１】
外部記憶装置と複数の画像形成装置とがネットワークを介して通信可能に接続された画像形成システムにおける画像形成装置であって、
画像形成処理を含むジョブを実行するために必要な情報であるジョブデータを入手する入手手段と、
入手手段により入手されたジョブデータに基づくジョブを正常に完了できない場合に、画像形成システム中の複数の画像形成装置のうちの何れかが当該ジョブを引継いで実行するために必要な情報を含むジョブ引継ぎデータを、当該ジョブデータに添付して、前記外部記憶装置に送信して記憶させることにより、当該ジョブデータを条件付きで登録する登録手段と、
入手手段により入手されたジョブデータに基づくジョブを実行する実行手段と、
実行手段によりジョブデータに基づくジョブが実行されて正常に完了した際に、前記外部記憶装置に記憶させたジョブ引継ぎデータが添付されたジョブデータを削除することにより、当該ジョブデータの条件付きの登録を抹消する抹消手段と
を備えることを特徴とする画像形成装置。
【請求項２】
前記画像形成装置は、さらに、
前記入手手段により入手されたジョブデータに基づくジョブを正常に完了することが可能なときには、前記登録手段により条件付きで登録されたジョブデータに添付されたジョブ引継ぎデータを、前記抹消手段により当該登録が抹消されるまで所定時間以上の間隔を空けることなく、更新し続ける更新手段を備え、
前記入手手段は、
前記外部記憶装置に、所定時間以上更新がなされていないジョブ引継ぎデータが記憶されているか否かを判断し、記憶されていると判断した場合には、当該ジョブ引継ぎデータが添付されているジョブデータを入手し、当該ジョブデータに基づくジョブを引継ぐこと
を特徴とする請求項１に記載の画像形成装置。
【請求項３】
前記登録手段により条件付きで登録されたジョブデータに添付されたジョブ引継ぎデータは、当該ジョブデータに基づくジョブを引継いで実行する際の条件を示す引継ぎ条件情報を含み、
前記入手手段は、
前記外部記憶装置にジョブ引継ぎデータが記憶されている場合に、当該ジョブ引継ぎデータに含まれる引継ぎ条件情報により示される条件を満たしているか否かを判断し、満たしている場合にのみ、当該ジョブデータに基づくジョブを引継ぐこと
を特徴とする請求項１又は２に記載の画像形成装置。
【請求項４】
前記引継ぎ条件情報は、
ジョブを引継がせたい画像形成装置を特定する引継ぎ先特定情報を含み、
前記入手手段は、
引継ぎ条件情報により示される条件を満たしているか否かを判断する際に、当該引継ぎ条件情報に含まれる引継ぎ先特定情報により特定される画像形成装置に、自装置が該当するか否かを判断すること
を特徴とする請求項３に記載の画像形成装置。
【請求項５】
前記登録手段により条件付きで登録されたジョブデータに添付されたジョブ引継ぎデータは、登録した依頼元を特定する依頼元特定情報を含み、
前記画像形成装置は、さらに、
ジョブを引継いだ場合に、対応するジョブ引継ぎデータに含まれる依頼元特定情報により特定される依頼元へ、当該ジョブを引継いだ旨を通知する通知手段を備えること
を特徴とする請求項２又は３に記載の画像形成装置。
【請求項６】
前記実行手段は、
ジョブを１ページ分実行する毎に、前記外部記憶装置に記憶させたジョブ引継ぎデータが添付されたジョブデータを書換えて、当該ジョブを正常に完了できずに画像形成システム中の複数の画像形成装置のうちの何れかが当該ジョブを引継ぐ場合に、ジョブを引き継いだ画像形成装置が、途中のページから継続して実行するように、当該ジョブデータの条件付きの登録を更新すること
を特徴とする請求項１〜５のいずれか１項に記載の画像形成装置。
【請求項７】
外部記憶装置と複数の画像形成装置とがネットワークを介して通信可能に接続された画像形成システムにおける画像形成方法であって、
画像形成処理を含むジョブを実行するために必要な情報であるジョブデータを入手する入手ステップと、
入手ステップにより入手されたジョブデータに基づくジョブを正常に完了できない場合に、画像形成システム中の複数の画像形成装置のうちの何れかが当該ジョブを引継いで実行するために必要な情報を含むジョブ引継ぎデータを、当該ジョブデータに添付して、前記外部記憶装置に送信して記憶させることにより、当該ジョブデータを条件付きで登録する登録ステップと、
入手ステップにより入手されたジョブデータに基づくジョブを実行する実行ステップと、
実行ステップによりジョブデータに基づくジョブが実行されて正常に完了した際に、前記外部記憶装置に記憶させたジョブ引継ぎデータが添付されたジョブデータを削除することにより、当該ジョブデータの条件付きの登録を抹消する抹消ステップと
を含むことを特徴とする画像形成方法。
【請求項８】
外部記憶装置と複数の画像形成装置とがネットワークを介して通信可能に接続された画像形成システムにおける画像形成プログラムであって、
前記画像形成装置に、
画像形成処理を含むジョブを実行するために必要な情報を含むジョブデータを入手する入手ステップと、
入手ステップにより入手されたジョブデータに基づくジョブを正常に完了できない場合に、画像形成システム中の複数の画像形成装置のうちの何れかが当該ジョブを引継いで実行するために必要な情報を含むジョブ引継ぎデータを、当該ジョブデータに添付して、前記外部記憶装置に送信して記憶させることにより、当該ジョブデータを条件付きで登録する登録ステップと、
入手ステップにより入手されたジョブデータに基づくジョブを実行する実行ステップと、
実行ステップによりジョブデータに基づくジョブが実行されて正常に完了した際に、前記外部記憶装置に記憶させたジョブ引継ぎデータが添付されたジョブデータを削除することにより、当該ジョブデータの条件付きの登録を抹消する抹消ステップと
を実行させることを特徴とする画像形成プログラム。
【発明の詳細な説明】
【技術分野】
【０００１】
本発明は、複数の画像形成装置が通信可能に接続された画像形成システムにおける画像形成装置に関し、特に、画像形成装置が不測の事態によりジョブを実行できなくなった場合において、ジョブデータの消失を防止すると共に、その画像形成装置が復帰できない場合であっても、当該ジョブを完了させることを可能にする技術に関する。
【背景技術】
【０００２】
近年、複数の画像形成装置が、個々の装置の機能や状態に応じて使い分けが可能なようにＬＡＮなどのネットワークを介して接続され、画像形成システムが構築されている。
このような画像形成システムにおいて、画像形成装置が画像形成処理等のジョブを正常に実行できないような異常が発生した際にはジョブデータが消失してしまうことがあり、このような場合には異常が解消してもジョブを再開することができず、再度ジョブを発行しなければならないという問題がある。
【０００３】
このような問題を解決する従来の技術の１つとして、ファクシミリサーバ装置において、内蔵する画像記録装置が使用できないときに通信回線を介して接続されたファイルサーバ装置に画像データを転送して格納し、画像記録装置が使用可能な状態となったときにファイルサーバ装置に格納した画像データを読み出して画像記録装置に記録する技術が特許文献１に開示されている。
【特許文献１】特開２００４−３３６６１０号公報
【発明の開示】
【発明が解決しようとする課題】
【０００４】
しかしながら、上記従来の技術は、異常が発生した際にファクシミリサーバ装置（ジョブを実行する画像形成装置に相当）が、ファイルサーバ装置（通信回線を介して接続された外部記憶装置に相当）に画像データ（ジョブデータに相当）を送信することができるだけの余力がある場合には有効であるが、電源OFFやハードウェアの故障等によって画像データの送信ができないような致命的な異常が発生した場合には役に立たない。
【０００５】
また、上記従来の技術のファクシミリサーバ装置は、異常が発生し画像データを退避させた後に、画像データを退避させたファクシミリサーバ装置自身の異常が解消した場合に限り、ファイルサーバ装置に退避させた画像データを読み出してジョブを再開することができるが、短時間では解消しないような重大な故障が発生した場合等には長時間ジョブの再開ができないので、やはり再度ジョブを発行しなければならなくなり実質的に役に立たない。
【０００６】
本発明は、ジョブデータの送信ができないような異常が発生した場合においてもジョブデータの消失を防止すると共に、長時間ジョブの再開ができない場合であっても当該ジョブを完了させることができる画像形成システムにおける画像形成装置、画像形成方法、及び画像形成プログラムを提供することを目的とする。
【課題を解決するための手段】
【０００７】
上記目的を達成するために、本発明に係る画像形成装置は、外部記憶装置と複数の画像形成装置とがネットワークを介して通信可能に接続された画像形成システムにおける画像形成装置であって、画像形成処理を含むジョブを実行するために必要な情報であるジョブデータを入手する入手手段と、入手手段により入手されたジョブデータに基づくジョブを正常に完了できない場合に画像形成システム中の複数の画像形成装置のうちの何れかが当該ジョブを引継いで実行するために必要な情報を含むジョブ引継ぎデータを当該ジョブデータに添付して前記外部記憶装置に送信して記憶させることにより当該ジョブデータを条件付きで登録する登録手段と、入手手段により入手されたジョブデータに基づくジョブを実行する実行手段と、実行手段によりジョブデータに基づくジョブが実行されて正常に完了した際に前記外部記憶装置に記憶させたジョブ引継ぎデータが添付されたジョブデータを削除することにより当該ジョブデータの条件付きの登録を抹消する抹消手段とを備えることを特徴とする。
【０００８】
上記目的を達成するために、本発明に係る画像形成方法は、外部記憶装置と複数の画像形成装置とがネットワークを介して通信可能に接続された画像形成システムにおける画像形成方法であって、画像形成処理を含むジョブを実行するために必要な情報であるジョブデータを入手する入手ステップと、入手ステップにより入手されたジョブデータに基づくジョブを正常に完了できない場合に画像形成システム中の複数の画像形成装置のうちの何れかが当該ジョブを引継いで実行するために必要な情報を含むジョブ引継ぎデータを当該ジョブデータに添付して前記外部記憶装置に送信して記憶させることにより当該ジョブデータを条件付きで登録する登録ステップと、入手ステップにより入手されたジョブデータに基づくジョブを実行する実行ステップと、実行ステップによりジョブデータに基づくジョブが実行されて正常に完了した際に前記外部記憶装置に記憶させたジョブ引継ぎデータが添付されたジョブデータを削除することにより当該ジョブデータの条件付きの登録を抹消する抹消ステップとを含むことを特徴とする。
【０００９】
上記目的を達成するために、本発明に係る画像形成プログラムは、外部記憶装置と複数の画像形成装置とがネットワークを介して通信可能に接続された画像形成システムにおける画像形成プログラムであって、前記画像形成装置に、画像形成処理を含むジョブを実行するために必要な情報を含むジョブデータを入手する入手ステップと、入手ステップにより入手されたジョブデータに基づくジョブを正常に完了できない場合に画像形成システム中の複数の画像形成装置のうちの何れかが当該ジョブを引継いで実行するために必要な情報を含むジョブ引継ぎデータを当該ジョブデータに添付して前記外部記憶装置に送信して記憶させることにより当該ジョブデータを条件付きで登録する登録ステップと、入手ステップにより入手されたジョブデータに基づくジョブを実行する実行ステップと、実行ステップによりジョブデータに基づくジョブが実行されて正常に完了した際に前記外部記憶装置に記憶させたジョブ引継ぎデータが添付されたジョブデータを削除することにより当該ジョブデータの条件付きの登録を抹消する抹消ステップとを実行させることを特徴とする。
【発明の効果】
【００１０】
課題を解決するための手段に記載した構成により、予め異常が発生する前に、ジョブデータと共にジョブ引継ぎデータを外部記憶装置に記憶して、ジョブデータを条件付きで登録しておき、ジョブが正常に完了した際にジョブデータの登録を抹消することができる。
よって、ジョブを完了する前に異常が発生してもその時にはすでにジョブデータは退避されているので、ジョブデータの送信ができないような異常が発生した場合においてもジョブデータが消失することがなく、また、異常が発生するとジョブデータの登録が抹消されず、複数の画像形成装置のうちの何れかによりジョブが引継がれて実行されるので、異常が発生した画像形成装置において長時間ジョブの再開ができない場合であっても他の画像形成装置によりジョブを完了させることができる。
【００１１】
ここで、画像形成装置において、さらに、前記入手手段により入手されたジョブデータに基づくジョブを正常に完了することが可能なときには前記登録手段により条件付きで登録されたジョブデータに添付されたジョブ引継ぎデータを前記抹消手段により当該登録が抹消されるまで所定時間以上の間隔を空けることなく更新し続ける更新手段を備え、前記入手手段は、前記外部記憶装置に所定時間以上更新がなされていないジョブ引継ぎデータが記憶されているか否かを判断し記憶されていると判断した場合には当該ジョブ引継ぎデータが添付されているジョブデータを入手し当該ジョブデータに基づくジョブを引継ぐことを特徴とすることもできる。
【００１２】
これにより、外部記憶装置に記憶させたジョブ引継ぎデータを、所定時間以上の間隔を空けることなく更新し続ける一方、外部記憶装置に所定時間以上更新がなされていないジョブ引継ぎデータが記憶されていれば、対応するジョブデータに基づくジョブを引継いで実行することができる。
よって、異常が発生したことにより画像形成装置がジョブ引継ぎデータを更新できなくなった場合において、対応するジョブは速やかに他の画像形成装置に引継がれ、一方他の画像形成装置の異常によりジョブ引継ぎデータが更新されなくなった場合において、対応するジョブを速やかに引継ぐことができる。
【００１３】
ここで、画像形成装置において、前記登録手段により条件付きで登録されたジョブデータに添付されたジョブ引継ぎデータは当該ジョブデータに基づくジョブを引継いで実行する際の条件を示す引継ぎ条件情報を含み、前記入手手段は、前記外部記憶装置にジョブ引継ぎデータが記憶されている場合に当該ジョブ引継ぎデータに含まれる引継ぎ条件情報により示される条件を満たしているか否かを判断し満たしている場合にのみ当該ジョブデータに基づくジョブを引継ぐことを特徴とすることもできる。
【００１４】
これにより、引継ぎ条件情報により示される引継ぎの条件を満たしている場合にのみジョブを引継ぐことになるので、ユーザの利便性等を考慮して引継ぎの条件を設定することにより、ユーザの使い勝手をよくすることができる。例えば、異常が発生した際には、比較的近くの画像形成装置にジョブが引継がれるように条件を設定したり、画質が綺麗な画像形成装置にジョブが引継がれるように設定するなど、個々の装置の接地場所や性能等を考慮して引継ぎの条件を設定することができる。
【００１５】
ここで、画像形成装置において、前記引継ぎ条件情報は、ジョブを引継がせたい画像形成装置を特定する引継ぎ先特定情報を含み、前記入手手段は、引継ぎ条件情報により示される条件を満たしているか否かを判断する際に当該引継ぎ条件情報に含まれる引継ぎ先特定情報により特定される画像形成装置に自装置が該当するか否かを判断することを特徴とすることもできる。
【００１６】
これにより、引継ぎの条件として引継ぎ先の画像形成装置を指定できるので、ユーザの利便性等を考慮して引継ぎ先の画像形成装置を設定することにより、ユーザの使い勝手をよくすることができる。
ここで、画像形成装置において、前記登録手段により条件付きで登録されたジョブデータに添付されたジョブ引継ぎデータは登録した依頼元を特定する依頼元特定情報を含み、前記画像形成装置は、さらに、ジョブを引継いだ場合に対応するジョブ引継ぎデータに含まれる依頼元特定情報により特定される依頼元へ当該ジョブを引継いだ旨を通知する通知手段を備えることを特徴とすることもできる。
【００１７】
これにより、ジョブを引継いだ装置が依頼元の装置やユーザへジョブを引継いだ旨を通知するので、ユーザは依頼元においてどの画像形成装置にジョブが引継がれて実行されたかを知ることができ、迅速に印刷された用紙等を回収することができるので大変便利である。
ここで、画像形成装置において、前記実行手段は、ジョブを１ページ分実行する毎に前記外部記憶装置に記憶させたジョブ引継ぎデータが添付されたジョブデータを書換えて当該ジョブを正常に完了できずに画像形成システム中の複数の画像形成装置のうちの何れかが当該ジョブを引継ぐ場合にジョブを引き継いだ画像形成装置が途中のページから継続して実行するように当該ジョブデータの条件付きの登録を更新することを特徴とすることもできる。
【００１８】
これにより、ジョブを引き継がれる方の装置において処理が済んだページ分の実行を、ジョブを引継いだ装置が実行せずに途中のページから継続して実行することができるので、ジョブを短時間にかつ効率的に処理することができる。
【発明を実施するための最良の形態】
【００１９】
［実施の形態１］
＜概要＞
実施の形態１は、画像形成装置がジョブを動作させる際に、ジョブの中断が起こったときのために、ジョブを実行するために必要な情報であるジョブデータに、ジョブを引継がせるために必要な情報を含むジョブ引継ぎデータを添付して外部記憶装置に条件付きで保存しておき、一方、装置が復帰した場合や待機中において、外部記憶装置に保存された条件付きのジョブデータを検索及び監視して、条件が合致するジョブデータを見付けた場合に、そのジョブを引継ぐことにより、ジョブデータの消失を防止すると共に、長時間ジョブの再開ができない場合でも他の画像形成装置によってジョブを完了させるものである。
【００２０】
＜全体構成＞
図１は、本実施の形態における画像形成システムの全体構成を模式的に示す図である。
図１に示すように、本実施の形態における画像形成システム１０においては、ＬＡＮ（Local Area Network）やゲートウェイ等の通信回線からなるネットワーク７を通じて、画像形成装置１、２、３、サーバ４、ＰＣ５、及びＮＡＳ（Network Attached Storage）６が通信可能に接続されている。
【００２１】
画像形成装置１、２、３は、原稿台に置かれた原稿を読み取って画像データを生成するスキャン機能、画像データに基づいて画像を印刷するプリント機能、原稿を読み取って印刷するコピー機能、原稿を読み取って画像データを送信するＦＡＸ機能、及び画像データや送信先電話番号等を記憶するメモリ蓄積機能等を備える複合機（ＭＦＰ：Multiple Function peripheral）であり、詳細には後述する。
【００２２】
サーバ４は、画像形成システム１０の全体を管理、及び制御するサーバコンピュータであり、本体４ａと大容量のハードディスクドライブ４ｂとがローカルに接続されている。
ＰＣ５は、ユーザが直接入力操作を行なうクライアントコンピュータであり、制御部、キーボード、マウス、及びモニタ等を備え、ユーザはキーボードやマウスを用いて、文書や図面等を作成したり、スキャン、プリント、コピー、ＦＡＸ、及びメモリ蓄積等の各種ジョブを要求したり、またモニタを用いてジョブの処理結果を確認することができる。
【００２３】
ＮＡＳ６は、コントローラ、ハードディスク、ネットワークインターフェース、ＯＳ、及び管理用ユーティリティ等を備えるファイルサービス専用機であって、ネットワークに直接接続して使用され、ネットワークに接続された他の装置から、記憶装置がネットワークに直接接続されているかのように使用することができ、高速なファイルサービスを提供するものである。
【００２４】
ここで、ハードディスクドライブ４ｂ、及びＮＡＳ６が、本発明において外部記憶装置として機能し、詳細には後述する。
＜画像形成装置の詳細＞
以下に、画像形成装置１の構成について説明する。なお、画像形成装置１、２、３のそれぞれは、全て同様の構成を備えるので、画像形成装置２、３についての説明は省略する。
【００２５】
図２は、本実施の形態における画像形成装置１のハードウェア構成の概略を示す図である。
図２に示すように、画像形成装置１は、大きく分けて、スキャナ部１１、プリンタ部１２、及びコントローラ部１３により構成されている。
スキャナ部１１は、スキャン機能を実行するにあたり原稿を読み取る為の光学機器や読み取り用の駆動系等からなる。
【００２６】
プリンタ部１２は、プリント機能を実行するにあたり画像を形成するための画像形成機器や用紙用の搬送系等からなる。
コントローラ部１３は、ユーザからの要求に従って、スキャナ部１１を制御して画像データを取得して保持したり、画像データを外部からＦＡＸで受信して保持したり、画像データをネットワーク経由で外部から取得して保持したり、プリンタ部１２を制御して保持した画像データから画像を形成したり、保持した画像データをＦＡＸで送信したり、保持した画像データをネットワーク経由で外部に出力する等の制御全般を行なう制御回路であり、ＣＰＵ１４、システムＲＡＭ１５、画像ＲＡＭ１６、ハードディスクドライブ１７、プログラムＲＯＭ１８、ＦＡＸモデム１９、ネットワークカード２０、操作パネル２１により構成されている。
【００２７】
ＣＰＵ１４は、プロセッサチップやその周辺回路等からなり、プログラムＲＯＭ１８に記憶されているプログラムに従って当該装置を制御し、また、データの入出力、演算、及び加工等を行なう。
システムＲＡＭ１５は、高速かつ揮発性のメインメモリであり、当該装置に電源が投入されるとすぐに、プログラムＲＯＭ１８に記憶されている各種プログラムがロードされて実行され、また、ＣＰＵ１４が各種プログラムを実行する際や、各種データの入出力、演算、及び加工等を行なう際にワークエリアとして使用され、さらに、スキャン機能、プリント機能、コピー機能、ＦＡＸ機能、及びメモリ蓄積機能等の各機能がそれぞれ動作する際に、外部記憶装置から機能毎のアプリケーションファームウェアがダウンロードされ実行される。
【００２８】
画像ＲＡＭ１６は、スキャナ部１１により読み取られて生成された画像データや、外部からＦＡＸで受信した画像データや、ネットワーク経由で外部から取得した画像データ、及びＣＰＵ１４により変換された画像データ等を蓄積する。
ハードディスクドライブ１７は、データをファイル形式で記憶する磁気記憶媒体であり、システムＲＡＭ１５や画像ＲＡＭ１６の容量を超えるデータの入力があった場合にはスワップ領域として使用され、溢れたデータを記憶する。
【００２９】
プログラムＲＯＭ１８は不揮発性のメモリであり、“プラットホーム・サービス（ＯＳ：オペレーティング・システム）”と、外部記憶装置からダウンロードするアプリケーションファームウェアを除く当該装置が動作する上で最低限必要な“ＭＦＰのシステムプログラム”と、当該装置の基本的な操作の為のユーザインターフェイスを制御する“操作パネル制御プログラム”と、複数のジョブを管理する為の“タスク制御プログラム”と、外部器機と通信する為の“通信制御プログラム”とが記憶されている。
【００３０】
ＦＡＸモデム１９は、公衆回線を介して、ＦＡＸ用に変換された画像データを送受信するモデムである。
ネットワークカード２０は、Ｅｔｈｅｒｎｅｔ（登録商標）ポート等の通信インターフェイスを備え、当該装置をネットワーク７に接続する。
操作パネル２１は、表示デバイスと各種入力キー等を備え、ユーザからの要求を受け付けたり、エラーメッセージ等の管理情報を表示してユーザに知らせる。
【００３１】
図３は、操作パネルの外観及び液晶画面の表示例を示す図である。
図３に示すように、操作パネル２１は、タッチパネル式液晶ディスプレイ２２、スタートキー２３、ストップキー２４、及びテンキー２５からなり、タッチパネル式液晶ディスプレイ２２には、コピーボタン２６、スキャンボタン２７、ＦＡＸボタン２８、プリントボタン２９、及びメモリ蓄積ボタン３０が表示された機能の選択画面において、ユーザによりプリントボタン２９の表示位置がタッチされてコピー機能が選択されている状態を示している。
【００３２】
図４は、本実施の形態における画像形成装置１の基本的なソフトウェア構成の概略を示す図である。
図４に示すように、不揮発性メモリ３１（図２のプログラムＲＯＭ１８に相当）に記憶されているＯＳ３２、ＭＦＰのシステムプログラム３３、操作パネル制御プログラム３４、タスク制御プログラム３５、通信制御プログラム３６、設定管理情報３７の全てが、電源投入後速やかに、ＲＡＭ３８中のＭＦＰシステム制御ＲＡＭ３９（図２のシステムＲＡＭ１５に相当）にコピーされ、また、外部記憶装置４０（図１のハードディスクドライブ４ｂ、及びＮＡＳ６に相当）に記憶されているコピー機能アプリ４１（アプリはアプリケーションファームウェアの略）、スキャン機能アプリ４２、ＦＡＸ機能アプリ４３、プリント機能アプリ４４、及びメモリ蓄積機能アプリ４５が、それぞれ必要とされたときにのみＭＦＰシステム制御ＲＡＭ３９にダウンロードされ、また、外部記憶装置４０に記憶されている画像データ４６がＲＡＭ３８中の画像ＲＡＭ４７（図２の画像ＲＡＭ１６に相当）にダウンロードされる。
【００３３】
設定管理情報３７には、サーバ４やＮＡＳ６等のネットワーク７を介して接続された装置のアドレスデータや、通信エラーにより送信ジョブが中断した場合においてリトライするまでの時間、リトライの要否、及びリトライ回数などのアクセスに必要な各種情報が含まれる。
コピー機能アプリ４１は、コピー機能における読み取り画質や倍率、画像編集、綴じなどの出力形態の設定、及び動作手順等を制御するプログラムである。
【００３４】
スキャン機能アプリ４２は、スキャン機能における読み取り画質やファイル形式、送信先、ネットワーク送信などの設定、及び動作手順等を制御するプログラムである。
ＦＡＸ機能アプリ４３は、ＦＡＸ機能の送信時における読み取り画質や、送信先、送信方法などの設定、及び動作手順等を制御し、また、ＦＡＸ機能の受信時における動作手順等を制御するプログラムである。
【００３５】
プリント機能アプリ４４は、プリント機能のページ記載言語の受信時におけるＰＣ５からのプリント指示の受信や、画質及び画像の編集、綴じなどの出力形態の設定、及び動作手順等を制御し、またユーザによりプリント機能が選択された場合における綴じなどの出力形態の設定、及び動作手順等を制御するプログラムである。
メモリ蓄積機能アプリ４５は、メモリ蓄積機能における画像データの保存先の設定、画像圧縮、保存操作受付、削除操作受付、及び動作手順等を制御するプログラムである。
【００３６】
ここで、新たに必要とされたアプリをダウンロードする際に、前にダウンロードされて不要となった他のアプリがＭＦＰシステム制御ＲＡＭ３９に記憶されていることにより記憶領域が不足するような場合には、不要となったとき、あるいは記憶領域が不足するときまでに、不要となった他のアプリを消去するか、あるいは図２のハードディスクドライブ１７に退避して記憶領域を確保する。一般的には不要となったアプリを不要となったときに破棄してよいというステータスにし、新たに必要とされたアプリがダウンロード時に上書きされる。
【００３７】
なお、ＭＦＰシステム制御ＲＡＭ３９と画像ＲＡＭ４７とは、別のデバイスの形態で搭載するか、又は一つのデバイスを固定あるいは可変のアドレスで分割する形態で搭載してもよい。
＜外部記憶装置の保存内容、データ転送の概要＞
図５は、本実施の形態の外部記憶装置の保存内容、及び画像形成装置と外部記憶装置とのデータ転送の概要を示す図である。
【００３８】
図５に示すように、本実施の形態の外部記憶装置は、画像形成装置１、２、３のそれぞれにダウンロードされて各機能を提供する各種アプリケーションファームウェアを格納するＦＷデータ格納部５０、画像形成装置１、２、３のそれぞれから転送されたジョブデータを格納するジョブデータ格納部５１、及びネットワークに接続された各装置からメモリ蓄積機能を利用されて任意に蓄積されたユーザデータを保存するユーザデータ格納部５２とを含む。
【００３９】
ここでメモリ蓄積機能によりユーザデータ格納部５２に保存されたユーザデータは、ユーザが意図的に削除操作を行なうと削除されるが、空き容量不足や指定された保存期限が経過した等の特別の場合を除き、原則的にユーザの削除操作なしに削除されることはない。
ここでＦＷデータ格納部５０に格納されている各種アプリケーションファームウェアのうち、コピー機能アプリ、スキャン機能アプリ、ＦＡＸ機能アプリ、プリント機能アプリ、及びメモリ蓄積機能アプリについては上記図４に示したソフトウェア構成において説明した通りであり、各機能アプリが実行される際に、それぞれが画像形成装置へダウンロードされる。
【００４０】
スキャナプログラムは、スキャナ部１１の動作手順、及び画像ＲＡＭ４７へ取り込んだ画像データを蓄積する動作手順等を制御するスキャナ部用のプログラムであり、スキャナ部１１を必要とする機能アプリが実行されるときにダウンロードされていない場合には、各機能アプリのダウンロードとともに画像形成装置へダウンロードされる。
プリンタプログラムは、プリンタ部１２の動作手順、及び画像ＲＡＭ４７から印字すべき画像データを出力する動作手順等を制御するプリンタ部用のプログラムであり、プリンタ部１２が必要な機能アプリが実行されるときにダウンロードされていない場合には、各機能アプリのダウンロードとともに画像形成装置へダウンロードされる。
【００４１】
また、ユーザデータ格納部５２に保存されているジョブデータは、ジョブＩＤ毎に、当該ジョブに用いる画像データ等の処理対象であるドキュメントと、当該ジョブを実行する際に必要な諸条件を示す設定情報とが対応付けられたものであり、ジョブの実行の際に画像形成装置へ転送され、また、ジョブの引継ぎの際に画像形成装置から転送される。
また、ユーザデータ格納部５２に保存されているユーザデータは、アドレス帳等のユーザ設定用のデータと、画像データ等の保存フォルダに格納されるデータとを含む。
【００４２】
ここで、本実施の形態における画像形成装置１は、各機能の実行の中断が起こったときのために、各機能をそれぞれ動作させる際に、ジョブを引継がせるために必要な情報である画像データ又は画像データの保存先、及びジョブの種類や出力形式等からなるジョブデータに、ジョブを引継ぐ際の装置の優先順序や引継ぎ許可時刻等からなる引継ぎ条件情報等のジョブの引継ぎに必要な情報であるジョブ引継ぎデータを付けて外部記憶装置に保存し、また、不具合が発生してジョブが中断した後に解除された場合や何れの処理も実行していないときに、外部記憶装置に保存されたジョブデータを検索又は監視して、引継ぎ条件等が合致するジョブデータを見付けた場合に該当するジョブを引継ぐ。ジョブの引継ぎ動作に関しては後述する。
【００４３】
またジョブ引継ぎデータに、ジョブの依頼元の装置やユーザを特定する依頼元特定情報を含ませ、ジョブを引継いだ際には、ジョブ引継ぎデータに含まれる依頼元特定情報により特定される依頼元の装置や、ユーザ宛てに自装置が当該ジョブを引継いだ旨を通知することにより、ユーザにどの画像形成装置でジョブが実行されたかを知らせることができ、ユーザは迅速に印刷された用紙等を回収することができるので大変便利である。例えば図１のＰＣ５がジョブの依頼元の装置であって、ジョブを画像形成装置１に依頼し、続いて画像形成装置２がこのジョブを引継いだ場合には、ＰＣ５を特定する情報、画像形成装置１を特定する情報、又はユーザのメールアドレス等が依頼元特定情報としてジョブ引継ぎデータに含まれ、画像形成装置２がジョブを引継いだ際には、この依頼元特定情報により特定される装置が、ＰＣ５ならばそのモニタにポップアップメール等により、また当該特定される装置が画像形成装置１ならばその操作パネルに表示されるように、あるいはこの依頼元特定情報がユーザのメールアドレスならばＥメールで、画像形成装置２により当該ジョブが引継がれた旨が通知され、モニタや操作パネル等に、例えば「１５：３２に、ユーザＡ様により画像形成装置１へ依頼されましたプリントジョブは、画像形成装置１の動作不良の為、１５：４５に画像形成装置２に引き継がれました」と表示される。
【００４４】
＜正常動作＞
まず、本実施の形態における画像形成装置において、各機能がそれぞれ正常に動作したときの動作の概略を説明する。
図３に示す操作パネル２１においてユーザによりコピーボタン２６の表示位置がタッチされてコピー機能が選択されると、図４に示すように外部記憶装置４０からコピー機能アプリ４１がＭＦＰシステム制御ＲＡＭ３９にダウンロードされ、続いてユーザにより原画がセットされ図３に示すスタートキー２３が押されると、ダウンロードされたコピー機能アプリ４１に基づくＣＰＵ１４（図２）からの指令に従って、スキャナ部１１（図２）が原画から画像データを読み込み、画像ＲＡＭ４７に蓄積し、これをプリンタ部１２（図２）に転送して、プリンタ部１２によりコピー画像が印刷される。
【００４５】
また、図３に示す操作パネル２１においてユーザによりスキャンボタン２７の表示位置がタッチされてスキャン機能が選択されると、図４に示すように外部記憶装置４０からスキャン機能アプリ４２がＭＦＰシステム制御ＲＡＭ３９にダウンロードされ、続いてユーザにより原画がセットされスタートキー２３が押されると、ダウンロードされたスキャン機能アプリ４２に基づくＣＰＵ１４（図２）からの指令に従って、スキャナ部１１（図２）が原画から画像データを読み込み、画像ＲＡＭ４７に蓄積し、これをＣＰＵ１４が読み出して汎用画像フォーマットにエンコードし、画像ＲＡＭ４７に蓄積する。その後、設定に応じてネットワーク経由で、Ｅ−ｍａｉｌ／ｆｔｐなどでエンコードした画像を送信する。
【００４６】
また、図３に示す操作パネル２１においてユーザによりＦＡＸボタン２８の表示位置がタッチされてＦＡＸ機能が選択されると、図４に示すように外部記憶装置４０からＦＡＸ機能アプリ４３がＭＦＰシステム制御ＲＡＭ３９にダウンロードされ、続いてユーザにより原画がセットされスタートキー２３が押されると、ダウンロードされたＦＡＸ機能アプリ４３に基づくＣＰＵ１４（図２）からの指令に従って、スキャナ部１１（図２）が原画から画像データを読み込み、画像ＲＡＭ４７に蓄積し、これをＣＰＵ１４が読み出してＦＡＸ可能な解像度及び圧縮形式に変換し、ＦＡＸモデム１９（図２）により送信する。
【００４７】
また、ＦＡＸ受信時には、ＦＡＸモデム１９（図２）により受信した画像データを、一旦、画像ＲＡＭ４７に蓄積し、これをＣＰＵ１４（図２）が読み出して印字可能な形式に変換し、これをプリンタ部１２（図２）に転送して、プリンタ部１２によりコピー画像が印刷される。
また、ネットワーク経由でクライアントコンピュータであるＰＣ５からページ記載言語を受信すると、図４に示すように外部記憶装置４０からプリント機能アプリ４４がＭＦＰシステム制御ＲＡＭ３９にダウンロードされ、ダウンロードされたプリント機能アプリ４４に基づいて、受信したページ記載言語をＣＰＵ１４（図２）が画像ＲＡＭ４７上に展開し、これをプリンタ部１２（図２）に転送して、プリンタ部１２によりコピー画像が印刷される。
【００４８】
また、図３に示すように操作パネル２１においてユーザによりプリントボタン２９の表示位置がタッチされてプリント機能が選択されると、図４に示すように外部記憶装置４０からプリント機能アプリ４４がＭＦＰシステム制御ＲＡＭ３９にダウンロードされ、続いてダウンロードされたプリント機能アプリ４４に基づくＣＰＵ１４からの指令に従って、ユーザにより外部記憶装置４０に蓄積されている画像データの中からプリントしたい画像データが指定されてスタートキー２３が押されると、指定された画像データが、外部記憶装置４０から画像ＲＡＭ４７に転送されて蓄積され、これをプリンタ部１２（図２）に転送して、プリンタ部１２によりプリント画像が印刷される。
【００４９】
また、図３に示す操作パネル２１においてユーザによりメモリ蓄積ボタン３０の表示位置がタッチされてメモリ蓄積機能が選択されると、図４に示すように外部記憶装置４０からメモリ蓄積機能アプリ４５がＭＦＰシステム制御ＲＡＭ３９にダウンロードされ、続いてダウンロードされたメモリ蓄積機能アプリ４５に基づくＣＰＵ１４からの指令に従って、ユーザにより画像ＲＡＭ４７に蓄積されている画像データの中からメモリ蓄積したい画像データが指定されスタートキー２３が押されると、指定された画像データが、画像ＲＡＭ４７から外部記憶装置４０に転送されて蓄積される。
【００５０】
ここでメモリ蓄積機能により外部記憶装置４０に蓄積された画像データは、ユーザが意図的に削除操作を行なわなければ原則的に削除されることがないので何度でも再利用することができ、半永久的に同じ画像を何度もプリント、及びＦＡＸすることや、同じ画像データを何度もＥ−Ｍａｉｌ又は、ＳＭＢ、ＦＴＰ、ＷＥＢＤＡＶ等の手段を利用して、他の情報機器に転送することができる。
【００５１】
また、スキャン中やプリント中にジャムが発生したり、画像形成装置の電源が落ちる等により各機能が正常に動作しないような不測の事態に備えて、復帰後の自機又は他の画像形成装置においてジョブを引継ぐ為に必要な情報や条件をジョブデータに添付して、適宜外部記憶装置４０へ登録する。
例えば、コピー機能の実行の際には、スキャン処理を始める前に画像データを含まないジョブデータを登録し、スキャン処理が正常に終了して画像データの読み込みが終わると、プリント処理を始める前に、読み込んだ画像データを含むジョブデータを再登録する。
【００５２】
また例えば、スキャン機能の実行の際には、スキャン処理を始める前に画像データを含まないジョブデータを登録する。
また例えば、ＦＡＸ機能の実行の際には、スキャン処理を始める前に画像データを含まないジョブデータを登録し、スキャン処理が正常に終了して画像データの読み込みが終わると、データの送信を始める前に、読み込んだ画像データを含むジョブデータを再登録する。
【００５３】
また例えば、プリント機能の実行の際には、プリント処理を始める前に、画像データを含むジョブデータを登録する。
ここで不測の事態に備えて外部記憶装置４０に登録されたジョブデータ、当該ジョブデータに添付された情報や条件、及び当該ジョブデータに含まれる画像データ等は、ユーザの意図にかかわらず、ジョブが正常に終了するか、あるいはジョブが引継がれると原則的に削除され、登録が抹消される。
【００５４】
なおここで「画像データを含むジョブデータ」は実際の画像データそのものを含む場合と、画像データそのものは含まず、その代わりに画像データ保存場所を示す情報を含む場合とがある。
＜引継ぎ動作１＞
次に、本実施の形態における画像形成装置において、各機能がそれぞれ正常に動作せず、後に復帰して自機においてジョブを引継ぐ場合（再開する場合を含む。以下同様）の動作の概略を説明する。
【００５５】
図６は、本実施の形態の画像形成装置においてプリントジョブが正常に動作しない場合の、画像形成装置Ａと外部記憶装置Ｘとの間で行なわれるデータ転送の概略を示す図である。
ここで画像形成装置Ａは、上記の画像形成装置１、２、３の何れかに相当し、外部記憶装置Ｘはハードディスクドライブ４ｂ、及びＮＡＳ６の何れかに相当する。
【００５６】
またここでは、外部記憶装置Ｘに、各機能アプリ、及びプリントすべき画像データが記憶されているものとする。
（１）画像形成装置Ａの操作パネルにおいてユーザによりプリント機能が選択される（Ｐ１０１）。
（２）画像形成装置Ａが外部記憶装置Ｘからプリント機能アプリ等のプリント機能を実行するために必要なアプリケーションをダウンロードする（Ｐ１０２）。
【００５７】
（３）ユーザによりメモリ蓄積したい画像データが指定され、スタートキーが押される（Ｐ１０３）。
（４）画像形成装置Ａが外部記憶装置Ｘへ、ジョブ引継ぎデータを添付したジョブデータを保存することにより、ジョブデータを条件付きで登録する（Ｐ１０４）。
（５）画像形成装置Ａが外部記憶装置Ｘから、ユーザにより指定された画像データを読み込む（Ｐ１０５）。
【００５８】
（６）画像形成装置Ａがプリント処理を開始する（Ｐ１０６）。
（７）ジャム発生や電源オフ等の不具合が発生し、プリント処理が中断する（Ｐ１０７）。
（８）画像形成装置Ａが、中断したプリントジョブの画像データとジョブデータとをＲＡＭ上から破棄する（Ｐ１０８）。
【００５９】
（９）画像形成装置Ａが、プリント機能アプリをＲＡＭ上から破棄する（Ｐ１０９）。
（１０）画像形成装置Ａにおいて、不具合が解消する（Ｐ１１０）。
（１１）画像形成装置Ａが、復帰後すみやかに外部記憶装置Ｘにアクセスし、処理すべきジョブデータを検索する（Ｐ１１１）。
（１２）画像形成装置Ａが、処理すべきジョブデータを読み込む（Ｐ１１２）。
【００６０】
（１３）画像形成装置Ａが外部記憶装置Ｘから、プリント機能アプリ等のプリント機能を実行するために必要なアプリケーションをダウンロードする（Ｐ１１３）。
（１４）画像形成装置Ａが外部記憶装置Ｘから、ジョブデータにより指定された画像データを読み込む（Ｐ１１４）。
（１５）画像形成装置Ａがプリント処理を再開する（Ｐ１１５）。
【００６１】
（１６）画像形成装置Ａにおいて、プリント処理が正常に終了する（Ｐ１１６）。
（１７）画像形成装置Ａが外部記憶装置Ｘから、ジョブ引継ぎデータが添付されたジョブデータを削除することにより、ジョブデータの条件付きの登録を抹消する（Ｐ１１７）。
（１８）画像形成装置Ａが、終了したプリントジョブの画像データとジョブデータとをＲＡＭ上から破棄する（Ｐ１１８）。
【００６２】
（１９）画像形成装置Ａが、プリント機能アプリをＲＡＭ上から破棄する（Ｐ１１９）。
図７、図８は、本実施の形態の画像形成装置においてコピージョブが正常に動作しない場合の、画像形成装置Ａと外部記憶装置Ｘとの間で行なわれるデータ転送の概略を示す図である。
【００６３】
ここで画像形成装置Ａは、上記の画像形成装置１、２、３の何れかに相当し、外部記憶装置Ｘはハードディスクドライブ４ｂ、及びＮＡＳ６の何れかに相当する。
またここでは、外部記憶装置Ｘに各機能アプリが記憶されているものとする。
（１）画像形成装置Ａの操作パネルにおいてユーザによりコピー機能が選択される（Ｐ２０１）。
【００６４】
（２）画像形成装置Ａが外部記憶装置Ｘから、コピー機能アプリ等のコピー機能を実行するために必要なアプリケーションをダウンロードする（Ｐ２０２）。
（３）ユーザによりコピーしたい原画がセットされ、スタートキーが押される（Ｐ２０３）。
（４）画像形成装置Ａが外部記憶装置Ｘへ、ジョブ引継ぎデータを添付したジョブデータを保存することによりジョブデータを条件付きで登録する（Ｐ２０４）。
【００６５】
（５）画像形成装置Ａがスキャン処理を開始する（Ｐ２０５）。
（６）ジャム発生や電源オフ等の不具合が発生し、スキャン処理が中断する（Ｐ２０６）。
（７）画像形成装置Ａが、中断したプリントジョブのジョブデータをＲＡＭ上から破棄する（Ｐ２０７）。
【００６６】
（８）画像形成装置Ａが、コピー機能アプリをＲＡＭ上から破棄する（Ｐ２０８）。
（９）画像形成装置Ａにおいて、不具合が解消する（Ｐ２０９）。
（１０）画像形成装置Ａが、復帰後すみやかに外部記憶装置Ｘにアクセスし、引継ぐべき（ここでは再開すべき）ジョブデータを検索する（Ｐ２１０）。
（１１）画像形成装置Ａが、処理すべきジョブデータを読み込む（Ｐ２１１）。
【００６７】
（１２）画像形成装置Ａが外部記憶装置Ｘから、コピー機能アプリ等のコピー機能を実行するために必要なアプリケーションをダウンロードする（Ｐ２１２）。
（１３）画像形成装置Ａがスキャン処理を再開する（Ｐ２１３）。
（１４）画像形成装置Ａにおいて、スキャン処理が正常に終了する（Ｐ２１４）。
（１５）画像形成装置Ａが外部記憶装置Ｘへ、スキャン処理により生成された画像データを保存する（Ｐ２１５）。
【００６８】
（１６）画像形成装置Ａが外部記憶装置Ｘに保存されているジョブ引継ぎデータが添付されたジョブデータに、保存した画像データの保存先を示す情報等を追加し、スキャン処理の途中の状態から引継ぐ（ここでは再開する）ことができるように当該ジョブデータを書換える（Ｐ２１６）。
（１７）画像形成装置Ａがプリント処理を開始する（Ｐ２１７）。
【００６９】
（１８）ジャム発生や電源オフ等の不具合が発生し、プリント処理が中断する（Ｐ２１８）。
（１９）画像形成装置Ａが、中断したプリントジョブの画像データとジョブデータとをＲＡＭ上から破棄する（Ｐ２１９）。
（２０）画像形成装置Ａが、コピー機能アプリをＲＡＭ上から破棄する（Ｐ２２０）。
【００７０】
（２１）画像形成装置Ａにおいて、不具合が解消する（Ｐ２２１）。
（２２）画像形成装置Ａが、復帰後すみやかに外部記憶装置Ｘにアクセスし、引継ぐべき（ここでは再開すべき）ジョブデータを検索する（Ｐ２２２）。
（２３）画像形成装置Ａが、処理すべきジョブデータを読み込む（Ｐ２２３）。
（２４）画像形成装置Ａが外部記憶装置Ｘから、コピー機能アプリ等のコピー機能を実行するために必要なアプリケーションをダウンロードする（Ｐ２２４）。
【００７１】
（２５）画像形成装置Ａが外部記憶装置Ｘから、ジョブデータにより指定された画像データを読み込む（Ｐ２２５）。
（２６）画像形成装置Ａがプリント処理を再開する（Ｐ２２６）。
（２７）画像形成装置Ａにおいて、プリント処理が正常に終了する（Ｐ２２７）。
（２８）画像形成装置Ａが外部記憶装置Ｘから、ジョブ引継ぎデータが添付されたジョブデータと画像データとを削除することによりジョブデータの条件付きの登録を抹消する（Ｐ２２８）。
【００７２】
（２９）画像形成装置Ａが、終了したコピージョブの画像データとジョブデータとをＲＡＭ上から破棄する（Ｐ２２９）。
（３０）画像形成装置Ａが、コピー機能アプリをＲＡＭ上から破棄する（Ｐ２３０）。
＜引継ぎ動作２＞
次に、本実施の形態における画像形成装置において、各機能がそれぞれ正常に動作せず、本実施の形態における他の画像形成装置においてジョブを引継ぐ場合の動作の概略を説明する。
【００７３】
図９は、本実施の形態の画像形成装置においてプリントジョブが正常に動作しない場合の、画像形成装置Ａ、外部記憶装置Ｘ、及び画像形成装置Ｂの間で行なわれるデータ転送の概略を示す図である。
ここで画像形成装置Ａは、上記の画像形成装置１、２、３の何れかに相当し、外部記憶装置Ｘはハードディスクドライブ４ｂ、及びＮＡＳ６の何れかに相当し、画像形成装置Ｂは画像形成装置Ａを除く画像形成装置１、２、３の何れかに相当する。
【００７４】
またここでは、外部記憶装置Ｘに、各機能アプリ、及びプリントすべき画像データが記憶されているものとする。
（１）画像形成装置Ａの操作パネルにおいてユーザによりプリント機能が選択される（Ｐ３０１）。
（２）画像形成装置Ａが外部記憶装置Ｘから、プリント機能アプリ等のプリント機能を実行するために必要なアプリケーションをダウンロードする（Ｐ３０２）。
【００７５】
（３）ユーザによりメモリ蓄積したい画像データが指定され、スタートキーが押される（Ｐ３０３）。
（４）画像形成装置Ａが外部記憶装置Ｘへ、ジョブ引継ぎデータを添付したジョブデータを保存することによりジョブデータを条件付きで登録する（Ｐ３０４）。ここで保存するジョブデータには、ジョブを引継ぐ際の装置の優先順序や引継ぎ許可時刻等の引継ぎ条件のデータが含まれ、不具合が発生してジョブが中断した場合には、当該引継ぎ条件が合致する画像形成装置がジョブを引継ぐことになる。
【００７６】
（５）画像形成装置Ａが外部記憶装置Ｘから、ユーザにより指定された画像データを読み込む（Ｐ３０５）。
（６）画像形成装置Ａがプリント処理を開始する（Ｐ３０６）。
（７）画像形成装置Ａにおいて、ジャム発生や電源オフ等の不具合が発生し、プリント処理が中断する（Ｐ３０７）。
【００７７】
（８）画像形成装置Ａが、中断したプリントジョブの画像データとジョブデータとをＲＡＭ上から破棄する（Ｐ３０８）。
（９）画像形成装置Ａが、プリント機能アプリをＲＡＭ上から破棄する（Ｐ３０９）。
（１０）画像形成装置Ｂが、外部記憶装置Ｘに対して、処理すべきジョブデータが保存されていないかを監視する処理を、数秒から数分程度の一定間隔で繰り返す（Ｐ３１０）。
【００７８】
（１１）画像形成装置Ｂが、引継ぎ条件の合致する処理すべきジョブデータを見付けると、当該ジョブデータを読み込み、ジョブ引継ぎデータが添付された元のジョブデータを削除することによりジョブデータの条件付きの登録を抹消し、新たなジョブ引継ぎデータが添付されたジョブデータを保存することによりジョブデータを条件付きで登録する。実際には、外部記憶装置Ｘに保存しているジョブデータに対して、ジョブを引継ぐ際の装置の優先順序の変更や引継ぎ許可時刻を延長する等の引継ぎ条件の書換えを行なう（Ｐ３１１）。またここで、引継ぎ条件のデータに、画像形成装置Ａを特定する依頼元特定情報が含まれている場合には、画像形成装置Ｂが当該依頼元特定情報に基づいて、当該ジョブを引き継いだ旨を画像形成装置Ａに通知し、画像形成装置Ａの操作パネルに画像形成装置Ｂが当該ジョブを引き継いだ旨が表示される。
【００７９】
（１２）画像形成装置Ｂが外部記憶装置Ｘからプリント機能アプリ等のプリント機能を実行するために必要なアプリケーションをダウンロードする（Ｐ３１２）。
（１３）画像形成装置Ｂが外部記憶装置Ｘから、ジョブデータにより指定された画像データを読み込む（Ｐ３１３）。
（１４）画像形成装置Ｂがプリント処理を開始する（Ｐ３１４）。
【００８０】
（１５）画像形成装置Ｂにおいて、プリント処理が正常に終了する（Ｐ３１５）。
（１６）画像形成装置Ｂが外部記憶装置Ｘから、ジョブ引継ぎデータが添付されたジョブデータを削除することによりジョブデータの条件付きの登録を抹消する（Ｐ３１６）。
（１７）画像形成装置Ｂが、終了したプリントジョブの画像データとジョブデータとをＲＡＭ上から破棄する（Ｐ３１７）。
【００８１】
（１８）画像形成装置Ｂが、プリント機能アプリをＲＡＭ上から破棄する（Ｐ３１８）。
（１９）画像形成装置Ａにおいて、不具合が解消する（Ｐ３１９）。
（２０）画像形成装置Ａが、復帰後外部記憶装置Ｘに対して、処理すべきジョブデータが保存されていないかを監視する処理を、数秒から数分程度の一定間隔で繰り返す（Ｐ３２０）。
【００８２】
図１０、図１１は、本実施の形態の画像形成装置においてコピージョブが正常に動作しない場合の、画像形成装置Ａ、外部記憶装置Ｘ、及び画像形成装置Ｂの間で行なわれるデータ転送の概略を示す図である。
ここで画像形成装置Ａは、上記の画像形成装置１、２、３の何れかに相当し、外部記憶装置Ｘはハードディスクドライブ４ｂ、及びＮＡＳ６の何れかに相当し、画像形成装置Ｂは画像形成装置Ａを除く画像形成装置１、２、３の何れかに相当する。
【００８３】
またここでは、外部記憶装置Ｘに各機能アプリが記憶されているものとする。
（１）画像形成装置Ａの操作パネルにおいてユーザによりコピー機能が選択される（Ｐ４０１）。
（２）画像形成装置Ａが外部記憶装置Ｘから、コピー機能アプリ等のコピー機能を実行するために必要なアプリケーションをダウンロードする（Ｐ４０２）。
【００８４】
（３）ユーザによりコピーしたい原画がセットされ、スタートキーが押される（Ｐ４０３）。
（４）画像形成装置Ａが外部記憶装置Ｘへ、ジョブ引継ぎデータを添付したジョブデータを保存することによりジョブデータを条件付きで登録する（Ｐ４０４）。
（５）画像形成装置Ａがスキャン処理を開始する（Ｐ４０５）。
【００８５】
（６）画像形成装置Ａにおいて、ジャム発生や電源オフ等の不具合が発生し、スキャン処理が中断する（Ｐ４０６）。
（７）画像形成装置Ａが、中断したプリントジョブのジョブデータをＲＡＭ上から破棄する（Ｐ４０７）。
（８）画像形成装置Ａが、コピー機能アプリをＲＡＭ上から破棄する（Ｐ４０８）。
【００８６】
（９）画像形成装置Ａにおいて、不具合が解消する（Ｐ４０９）。
（１０）画像形成装置Ａが、外部記憶装置Ｘに対して、処理すべきジョブデータが保存されていないかを監視する処理を、数秒から数分程度の一定間隔で繰り返す（Ｐ４１０）。
（１１）画像形成装置Ａが、処理すべきジョブデータを読み込み、ジョブ引継ぎデータが添付された元のジョブデータを削除することによりジョブデータの条件付きの登録を抹消し、新たなジョブ引継ぎデータが添付されたジョブデータを保存することによりジョブデータを条件付きで登録する。実際には、外部記憶装置Ｘに保存しているジョブデータに対して、引継ぎ許可時刻を延長する等の引継ぎ条件の書換えを行なう（Ｐ４１１）。
【００８７】
（１２）画像形成装置Ａが外部記憶装置Ｘから、コピー機能アプリ等のコピー機能を実行するために必要なアプリケーションをダウンロードする（Ｐ４１２）。
（１３）画像形成装置Ａがスキャン処理を再開する（Ｐ４１３）。
（１４）画像形成装置Ａにおいて、スキャン処理が正常に終了する（Ｐ４１４）。
（１５）画像形成装置Ａが外部記憶装置Ｘへ、スキャン処理により生成された画像データを保存する（Ｐ４１５）。
【００８８】
（１６）画像形成装置Ａが外部記憶装置Ｘに保存されているジョブデータに、保存した画像データの保存先を示す情報等を追加し、スキャン処理が終了した状態から引継ぐことができるように当該ジョブデータを書換える（Ｐ４１６）。
（１７）画像形成装置Ａがプリント処理を開始する（Ｐ４１７）。
（１８）ジャム発生や電源オフ等の不具合が発生し、プリント処理が中断する（Ｐ４１８）。
【００８９】
（１９）画像形成装置Ａが、中断したプリントジョブの画像データとジョブデータとをＲＡＭ上から破棄する（Ｐ４１９）。
（２０）画像形成装置Ａが、コピー機能アプリをＲＡＭ上から破棄する（Ｐ４２０）。
（２１）画像形成装置Ｂが、外部記憶装置Ｘに対して、処理すべきジョブデータが保存されていないかを監視する処理を、数秒から数分程度の一定間隔で繰り返す（Ｐ４２１）。
【００９０】
（２２）画像形成装置Ｂが、引継ぎ条件の合致する処理すべきジョブデータを見付けると、当該ジョブデータを読み込み、ジョブ引継ぎデータが添付された元のジョブデータを削除することによりジョブデータの条件付きの登録を抹消し、新たなジョブ引継ぎデータが添付されたジョブデータを保存することによりジョブを条件付きで登録する。実際には、外部記憶装置Ｘに保存しているジョブデータに対して、ジョブを引継ぐ際の装置の優先順序の変更や引継ぎ許可時刻を延長する等の引継ぎ条件の書換えを行なう（Ｐ４２２）。またここで、引継ぎ条件のデータに、画像形成装置Ａを特定する依頼元特定情報が含まれている場合には、画像形成装置Ｂが当該依頼元特定情報に基づいて、当該ジョブを引き継いだ旨を画像形成装置Ａに通知し、画像形成装置Ａの操作パネルに画像形成装置Ｂが当該ジョブを引き継いだ旨が表示される。
【００９１】
（２３）画像形成装置Ｂが外部記憶装置Ｘからコピー機能アプリ等のコピー機能を実行するために必要なアプリケーションをダウンロードする（Ｐ４２３）。
（２４）画像形成装置Ｂが外部記憶装置Ｘから、ジョブデータにより指定された画像データを読み込む（Ｐ４２４）。
（２５）画像形成装置Ｂがプリント処理を開始する（Ｐ４２５）。
【００９２】
（２６）画像形成装置Ｂにおいて、プリント処理が正常に終了する（Ｐ４２６）。
（２７）画像形成装置Ｂが外部記憶装置Ｘから、ジョブ引継ぎデータが添付されたジョブデータと画像データとを削除することによりジョブデータの条件付きの登録を抹消する（Ｐ４２７）。
（２８）画像形成装置Ｂが、終了したコピージョブの画像データとジョブデータとをＲＡＭ上から破棄する（Ｐ４２８）。
【００９３】
（２９）画像形成装置Ｂが、コピー機能アプリをＲＡＭ上から破棄する（Ｐ４２９）。
（３０）画像形成装置Ａにおいて、不具合が解消する（Ｐ４３０）。
（３１）画像形成装置Ａが、復帰後外部記憶装置Ｘに対して、処理すべきジョブデータが保存されていないかを監視する処理を、数秒から数分程度の一定間隔で繰り返す（Ｐ４３１）。
【００９４】
なお、上記引継ぎ動作１の説明においては、画像形成装置Ａの動作中に画像形成装置Ｂが外部記憶装置Ｘに処理すべきジョブデータが保存されていないかを監視し、画像形成装置Ｂの動作中に画像形成装置Ａが外部記憶装置Ｘに処理すべきジョブデータが保存されていないかを監視している例を示したが、通信回線上に３台以上の画像形成装置が接続されている場合には、基本的に動作中や不具合発生中でない待機中の画像形成装置の全てがそれぞれにおいて当該監視を行うものであり、よってどの画像形成装置でもジョブの引継ぎが可能である。
【００９５】
図１２は、同一のＬＡＮ上に外部記憶装置と３台以上の画像形成装置とが接続されている場合のジョブデータの監視の様子を模式的に示す図である。
図１２に示すように、ジョブ依頼を受けた画像形成装置Ａは外部記憶装置Ｘへ画像データやジョブデータを保存してジョブを実行し、同一のＬＡＮ上に接続されている他の画像形成装置Ｂ，Ｃ，Ｄ・・・はそれぞれ、処理すべきジョブデータが保存されていないかを監視する。ここで画像形成装置Ａにおいて不具合が発生してジョブが中断すると、外部記憶装置Ｘに保存された画像データやジョブデータに基づいて、他の画像形成装置Ｂ，Ｃ，Ｄ・・・、及び復帰後の画像形成装置Ａのうちの、ジョブデータ中の引継ぎ条件に最も合致する画像形成装置がジョブを継続する。
【００９６】
＜引継ぎ動作３＞
次に、本実施の形態における画像形成装置において、各機能がそれぞれ正常に動作せず、本実施の形態における他の画像形成装置においてジョブを引継ぐ場合に、ジョブを引継がせたい画像形成装置を指定する動作の概略を説明する。
図１３は、本実施の形態の画像形成装置においてプリントジョブが正常に動作せず、指定した画像形成装置にジョブを引継がせる場合の、画像形成装置Ａ、外部記憶装置Ｘ、及び画像形成装置Ｂの間で行なわれるデータ転送の概略を示す図である。
【００９７】
ここで画像形成装置Ａは、上記の画像形成装置１、２、３の何れかに相当し、外部記憶装置Ｘはハードディスクドライブ４ｂ、及びＮＡＳ６の何れかに相当し、画像形成装置Ｂは画像形成装置Ａを除く画像形成装置１、２、３の何れかに相当する。
またここでは、外部記憶装置Ｘに、各機能アプリ、及びプリントすべき画像データが記憶されているものとする。
【００９８】
なお、図９の動作と同様の部分には同一番号を付し、その説明を省略する。
（１）〜（４）図９のＰ３０１〜Ｐ３０４と同様。
（５）画像形成装置Ａが、監視すべきジョブデータを保存している旨を示すジョブ監視依頼を画像形成装置Ｂへ通知する（Ｐ５０１）。
（６）画像形成装置Ｂが、画像形成装置Ａからジョブ監視依頼の通知を受けると、外部記憶装置Ｘに対して、処理すべきジョブデータが保存されていないかを監視する処理を開始し、当該ジョブデータを見付けるか又はジョブ監視解除の通知があるまで数秒から数分程度の一定間隔で繰り返す（Ｐ５０２）。
【００９９】
（７）〜（１１）図９のＰ３０５〜Ｐ３０９と同様。
（１２）図９のＰ３１１と同様。
（１３）画像形成装置Ｂが、監視すべきジョブデータを保存している旨を示すジョブ監視依頼を画像形成装置Ａへ通知する（Ｐ５０３）。
（１４）〜（１６）図９のＰ３１２〜Ｐ３１４と同様。
【０１００】
（１７）画像形成装置Ａにおいて、不具合が解消する（Ｐ５０４）。
（１８）画像形成装置Ａが、画像形成装置Ｂからジョブ監視依頼の通知を受けると、復帰後外部記憶装置Ｘに対して、処理すべきジョブデータが保存されていないかを監視する処理を開始し、当該ジョブデータを見付けるか又はジョブ監視解除の通知があるまで数秒から数分程度の一定間隔で繰り返す（Ｐ５０５）。
【０１０１】
（１９）〜（２０）図９のＰ３１５〜Ｐ３１６と同様。
（２１）画像形成装置Ｂが、監視すべきジョブを削除した旨を示すジョブ監視解除を画像形成装置Ａへ通知する（Ｐ５０６）。
（２２）〜（２３）図９のＰ３１７〜Ｐ３１８と同様。
図１４、図１５は、本実施の形態の画像形成装置においてコピージョブが正常に動作せず、指定した画像形成装置にジョブを引継がせる場合の、画像形成装置Ａ、外部記憶装置Ｘ、及び画像形成装置Ｂの間で行なわれるデータ転送の概略を示す図である。
【０１０２】
ここで画像形成装置Ａは、上記の画像形成装置１、２、３の何れかに相当し、外部記憶装置Ｘはハードディスクドライブ４ｂ、及びＮＡＳ６の何れかに相当し、画像形成装置Ｂは画像形成装置Ａを除く画像形成装置１、２、３の何れかに相当する。
またここでは、外部記憶装置Ｘに各機能アプリが記憶されているものとする。
なお、図１０、図１１の動作と同様の部分には同一番号を付し、その説明を省略する。
【０１０３】
（１）〜（１６）図１０のＰ４０１〜Ｐ４１６と同様。
（１７）画像形成装置Ａが、監視すべきジョブデータを保存している旨を示すジョブ監視依頼を画像形成装置Ｂへ通知する（Ｐ６０１）。
（１８）画像形成装置Ｂが、画像形成装置Ａからジョブ監視依頼の通知を受けると、外部記憶装置Ｘに対して、処理すべきジョブデータが保存されていないかを監視する処理を開始し、当該ジョブデータを見付けるか又はジョブ監視解除の通知があるまで数秒から数分程度の一定間隔で繰り返す（Ｐ６０２）。
【０１０４】
（１９）〜（２２）図１１のＰ４１７〜Ｐ４２０と同様。
（２３）図１１のＰ４２２と同様。
（２４）画像形成装置Ｂが、監視すべきジョブデータを保存している旨を示すジョブ監視依頼を画像形成装置Ａへ通知する（Ｐ６０３）。
（２５）〜（２８）図１１のＰ４２３〜Ｐ４２５と同様。
【０１０５】
（２９）画像形成装置Ａにおいて、不具合が解消する（Ｐ６０４）。
（３０）画像形成装置Ａが、画像形成装置Ｂからジョブ監視依頼の通知を受けると、復帰後外部記憶装置Ｘに対して、処理すべきジョブデータが保存されていないかを監視する処理を開始し、当該ジョブデータを見付けるか又はジョブ監視解除の通知があるまで数秒から数分程度の一定間隔で繰り返す（Ｐ６０５）。
【０１０６】
（３１）〜（３２）図１１のＰ４２６〜Ｐ４２７と同様。
（３３）画像形成装置Ｂが、監視すべきジョブデータを削除した旨を示すジョブ監視解除を画像形成装置Ａへ通知する（Ｐ６０６）。
（３４）〜（３５）図１１のＰ４２８〜Ｐ４２９と同様。
なお、上記引継ぎ動作２の説明においては、画像形成装置Ａが動作中に画像形成装置Ｂへジョブ監視依頼を通知し、画像形成装置Ｂが動作中に画像形成装置Ａへジョブ監視依頼を通知する例を示したが、通信回線上に３台以上の画像形成装置が接続されている場合には、２台以上の画像形成装置にジョブ監視依頼を通知し、２台以上の画像形成装置において当該監視を行ってもよい。
【０１０７】
図１６は、同一のＬＡＮ上に外部記憶装置と３台以上の画像形成装置とが接続されている場合のジョブデータの監視の様子を模式的に示す図である。
図１６に示すように、ジョブ依頼を受けた画像形成装置Ａは外部記憶装置Ｘへ画像データやジョブデータを保存してジョブを実行し、同一のＬＡＮ上に接続されている画像形成装置Ｂと画像形成装置Ｄとにジョブ監視依頼を通知し、通知を受けた画像形成装置Ｂと画像形成装置Ｄとはそれぞれ、処理すべきジョブデータが保存されていないかを監視する。ここで画像形成装置Ａにおいて不具合が発生してジョブが中断すると、外部記憶装置Ｘに保存された画像データやジョブデータに基づいて、他の画像形成装置Ｂ，Ｄ、及び復帰後の画像形成装置Ａのうちの、ジョブデータ中の引継ぎ条件に最も合致する画像形成装置がジョブを継続する。
【０１０８】
＜引継ぎ動作４＞
次に、本実施の形態における画像形成装置において、ジョブを引継がせたい画像形成装置を指定する動作において、各機能がそれぞれ正常に動作せず、復帰後の自装置においてジョブを引継ぐ動作の概略を説明する。
図１７、図１８は、本実施の形態の画像形成装置においてプリントジョブが正常に動作せず、ジョブを引継がせたい画像形成装置を指定するが自装置においてジョブを引継ぐ場合の、画像形成装置Ａ、外部記憶装置Ｘ、及び画像形成装置Ｂの間で行なわれるデータ転送の概略を示す図である。
【０１０９】
ここで画像形成装置Ａは、上記の画像形成装置１、２、３の何れかに相当し、外部記憶装置Ｘはハードディスクドライブ４ｂ、及びＮＡＳ６の何れかに相当し、画像形成装置Ｂは画像形成装置Ａを除く画像形成装置１、２、３の何れかに相当する。
またここでは、外部記憶装置Ｘに、各機能アプリ、及びプリントすべき画像データが記憶されているものとする。
【０１１０】
なお、図９、図１３の動作と同様の部分には同一番号を付し、その説明を省略する。
（１）〜（１１）図９、図１３のＰ３０１〜Ｐ３０４、図１３のＰ５０１〜Ｐ５０２、図９、図１３のＰ３０５〜Ｐ３０９と同様。
（１２）〜（１３）図９のＰ３１９〜Ｐ３２０と同様。
（１４）画像形成装置Ａが、処理すべきジョブデータを読み込み、ジョブ引継ぎデータが添付された元のジョブデータを削除することによりジョブデータの条件付きの登録を抹消し、新たなジョブ引継ぎデータが添付されたジョブデータを保存することによりジョブデータを条件付きで登録する。実際には、外部記憶装置Ｘに保存しているジョブ引継ぎデータが添付されたジョブデータに対して、引継ぎ許可時刻を延長する等の引継ぎ条件の書換えを行なう（Ｐ７０１）。
【０１１１】
（１５）画像形成装置Ａが、監視すべきジョブデータを保存している旨を示すジョブ監視依頼を画像形成装置Ｂへ通知する（Ｐ７０２）。
（１６）画像形成装置Ａが外部記憶装置Ｘから、プリント機能アプリ等のプリント機能を実行するために必要なアプリケーションをダウンロードする（Ｐ７０２）。
（１７）画像形成装置Ａが外部記憶装置Ｘから、ジョブデータにより指定された画像データを読み込む（Ｐ７０４）。
【０１１２】
（１８）画像形成装置Ａがプリント処理を再開する（Ｐ７０５）。
（１９）画像形成装置Ａにおいて、プリント処理が正常に終了する（Ｐ７０６）。
（２０）画像形成装置Ａが外部記憶装置Ｘから、ジョブ引継ぎデータが添付されたジョブデータを削除することによりジョブデータの条件付きの登録を抹消する（Ｐ７０７）。
（２１）画像形成装置Ａが、監視すべきジョブデータを削除した旨を示すジョブ監視解除を画像形成装置Ｂへ通知する（Ｐ７０８）。
【０１１３】
（２２）画像形成装置Ａが、終了したプリントジョブの画像データとジョブデータとをＲＡＭ上から破棄する（Ｐ７０９）。
（２３）画像形成装置Ａが、プリント機能アプリをＲＡＭ上から破棄する（Ｐ７１０）。
図１９、図２０は、本実施の形態の画像形成装置においてコピージョブが正常に動作せず、ジョブを引継がせたい画像形成装置を指定するが自装置においてジョブを引継ぐ場合の、画像形成装置Ａ、外部記憶装置Ｘ、及び画像形成装置Ｂの間で行なわれるデータ転送の概略を示す図である。
【０１１４】
ここで画像形成装置Ａは、上記の画像形成装置１、２、３の何れかに相当し、外部記憶装置Ｘはハードディスクドライブ４ｂ、及びＮＡＳ６の何れかに相当し、画像形成装置Ｂは画像形成装置Ａを除く画像形成装置１、２、３の何れかに相当する。
またここでは、外部記憶装置Ｘに各機能アプリが記憶されているものとする。
なお、図１０、図１１、図１４、図１５の動作と同様の部分には同一番号を付し、その説明を省略する。
【０１１５】
（１）〜（２２）図１０、図１４のＰ４０１〜Ｐ４１６、図１４のＰ６０１、図１５のＰ６０２、図１１、図１５のＰ４１７〜Ｐ４２０と同様。
（２３）〜（２４）図１１のＰ４３０〜Ｐ４３１と同様。
（２５）画像形成装置Ａが、処理すべきジョブデータを読み込み、ジョブ引継ぎデータが添付された元のジョブデータを削除することによりジョブデータの条件付きの登録を抹消し、新たなジョブ引継ぎデータが添付されたジョブデータを保存することによりジョブデータを条件付きで登録する。実際には、外部記憶装置Ｘに保存しているジョブデータに対して、引継ぎ許可時刻を延長する等の引継ぎ条件の書換えを行なう（Ｐ８０１）。
【０１１６】
（２６）画像形成装置Ａが、監視すべきジョブデータを保存している旨を示すジョブ監視依頼を画像形成装置Ｂへ通知する（Ｐ８０２）。
（２７）画像形成装置Ａが外部記憶装置Ｘからコピー機能アプリ等のコピー機能を実行するために必要なアプリケーションをダウンロードする（Ｐ８０２）。
（２８）画像形成装置Ａが外部記憶装置Ｘから、ジョブデータにより指定された画像データを読み込む（Ｐ８０４）。
【０１１７】
（２９）画像形成装置Ａがプリント処理を再開する（Ｐ８０５）。
（３０）画像形成装置Ａにおいて、プリント処理が正常に終了する（Ｐ８０６）。
（３１）画像形成装置Ａが外部記憶装置Ｘに保存されているジョブ引継ぎデータが添付されたジョブデータと画像データとを削除することによりジョブデータの条件付きの登録を抹消する（Ｐ８０７）。
【０１１８】
（３２）画像形成装置Ａが、監視すべきジョブデータを削除した旨を示すジョブ監視解除を画像形成装置Ｂへ通知する（Ｐ８０８）。
（３３）画像形成装置Ａが、終了したコピージョブの画像データとジョブデータとをＲＡＭ上から破棄する（Ｐ８０９）。
（３４）画像形成装置Ａが、コピー機能アプリをＲＡＭ上から破棄する（Ｐ８１０）。
【０１１９】
＜引継ぎ動作５＞
次に、本実施の形態における画像形成装置において、各機能がそれぞれ正常に動作せず、本実施の形態における他の画像形成装置においてジョブを引継ぐ場合に、画像形成装置が正常に動作している間はジョブデータを更新し続け、不具合が発生するとジョブデータの更新を行なわないことにより、他の画像形成装置が比較的短時間でジョブを引継ぐ動作の概略を説明する。
【０１２０】
図２１は、本実施の形態の画像形成装置において、正常に動作している間はジョブデータを更新し続け、プリントジョブが正常に動作せず、他の画像形成装置にジョブを引継がせる場合の、画像形成装置Ａ、外部記憶装置Ｘ、及び画像形成装置Ｂの間で行なわれるデータ転送の概略を示す図である。
ここで画像形成装置Ａは、上記の画像形成装置１、２、３の何れかに相当し、外部記憶装置Ｘはハードディスクドライブ４ｂ、及びＮＡＳ６の何れかに相当し、画像形成装置Ｂは画像形成装置Ａを除く画像形成装置１、２、３の何れかに相当する。
【０１２１】
またここでは、外部記憶装置Ｘに、各機能アプリ、及びプリントすべき画像データが記憶されているものとする。
なお、図９の動作と同様の部分には同一番号を付し、その説明を省略する。
（１）〜（３）図９のＰ３０１〜Ｐ３０３と同様。
３０４
（４）画像形成装置Ａが外部記憶装置Ｘへ、ジョブ引継ぎデータを添付したジョブデータを保存することによりを条件付きで登録する（Ｐ９０１）。ここで保存するジョブデータには、数秒から数分程度の比較的短時間後の時刻を引継ぎ許可時刻とする引継ぎ条件のデータが含まれ、引継ぎ許可時刻が経過した場合には、すみやかに他の画像形成装置がジョブを引継ぐことになる。
【０１２２】
（５）〜（６）図９のＰ３０５〜Ｐ３０６と同様。
（７）画像形成装置Ａが、外部記憶装置Ｘに対して、保存したジョブ引継ぎデータを添付したジョブデータの更新を行って引継ぎ許可時刻を延期する処理を開始し、不具合が発生するか又はジョブが終了してジョブデータを削除するまで、引継ぎ許可時刻が経過しないように一定間隔で繰り返す（Ｐ９０２）。
【０１２３】
（８）〜（１１）図９のＰ３０７〜Ｐ３１０と同様。
（１２）画像形成装置Ｂが、引継ぎ条件の合致する処理すべきジョブデータを見付けると、当該ジョブデータを読み込み、ジョブ引継ぎデータが添付された元のジョブデータを削除することによりジョブデータの条件付きの登録を抹消し、新たなジョブ引継ぎデータが添付されたジョブデータを保存することによりジョブデータを条件付きで登録する。実際には、外部記憶装置Ｘに保存しているジョブデータに対して、ジョブを引継ぐ際の装置の優先順序の変更や引継ぎ許可時刻を延期する等の引継ぎ条件の書換えを行なう（Ｐ９０３）。またここで、引継ぎ条件のデータに、画像形成装置Ａを特定する依頼元特定情報が含まれている場合には、画像形成装置Ｂが当該依頼元特定情報に基づいて、当該ジョブを引き継いだ旨を画像形成装置Ａに通知し、画像形成装置Ａの操作パネルに画像形成装置Ｂが当該ジョブを引き継いだ旨が表示される。
【０１２４】
（１３）〜（１５）図９のＰ３１２〜Ｐ３１４と同様。
（１６）画像形成装置Ｂが、外部記憶装置Ｘに対して、保存したジョブ引継ぎデータを添付したジョブデータの更新を行って引継ぎ許可時刻を延期する処理を開始し、不具合が発生するか又はジョブが終了してジョブデータを削除するまで、引継ぎ許可時刻が経過しないように一定間隔で繰り返す（Ｐ９０４）。
【０１２５】
（１７）〜（２２）図９のＰ３１５〜Ｐ３２０と同様。
図２２、図２３は、本実施の形態の画像形成装置において、正常に動作している間はジョブデータを更新し続け、コピージョブが正常に動作せず、他の画像形成装置にジョブを引継がせる場合の、画像形成装置Ａ、外部記憶装置Ｘ、及び画像形成装置Ｂの間で行なわれるデータ転送の概略を示す図である。
【０１２６】
ここで画像形成装置Ａは、上記の画像形成装置１、２、３の何れかに相当し、外部記憶装置Ｘはハードディスクドライブ４ｂ、及びＮＡＳ６の何れかに相当し、画像形成装置Ｂは画像形成装置Ａを除く画像形成装置１、２、３の何れかに相当する。
またここでは、外部記憶装置Ｘに各機能アプリが記憶されているものとする。
なお、図１０、図１１の動作と同様の部分には同一番号を付し、その説明を省略する。
【０１２７】
（１）〜（１５）図１０のＰ４０１〜Ｐ４１５と同様。
（１６）画像形成装置Ａが外部記憶装置Ｘに保存されているジョブデータに、保存した画像データの保存先を示す情報等を追加してスキャン処理の途中の状態から再開できるようにし、さらに数秒から数分程度の比較的短時間後の時刻を引継ぎ許可時刻とする引継ぎ条件を含ませて、引継ぎ許可時刻が経過した場合には、すみやかに他の画像形成装置がジョブを引継ぐことができるように、当該ジョブデータを書換える（Ｐ１００１）。
【０１２８】
（１７）図１１のＰ４１７と同様。
（１８）画像形成装置Ａが、外部記憶装置Ｘに対して、保存したジョブ引継ぎデータを添付したジョブデータの更新を行って引継ぎ許可時刻を延期する処理を開始し、不具合が発生するか又はジョブが終了してジョブデータを削除するまで、引継ぎ許可時刻が経過しないように一定間隔で繰り返す（Ｐ１００２）。
【０１２９】
（１９）〜（２２）図１１のＰ４１８〜Ｐ４２０、図１０のＰ４２１と同様。
（２３）画像形成装置Ｂが、引継ぎ条件の合致する処理すべきジョブデータを見付けると、当該ジョブデータを読み込み、ジョブ引継ぎデータが添付された元のジョブデータを削除することによりジョブデータの条件付きの登録を抹消し、新たなジョブ引継ぎデータが添付されたジョブデータを保存することによりジョブデータを条件付きで登録する。実際には、外部記憶装置Ｘに保存しているジョブデータに対して、ジョブを引継ぐ際の装置の優先順序の変更や引継ぎ許可時刻を延期する等の引継ぎ条件の書換えを行なう（Ｐ１００３）。またここで、引継ぎ条件のデータに、画像形成装置Ａを特定する依頼元特定情報が含まれている場合には、画像形成装置Ｂが当該依頼元特定情報に基づいて、当該ジョブを引き継いだ旨を画像形成装置Ａに通知し、画像形成装置Ａの操作パネルに画像形成装置Ｂが当該ジョブを引き継いだ旨が表示される。
【０１３０】
（２４）〜（２６）図１１のＰ４２３〜Ｐ４２５と同様。
（２７）画像形成装置Ｂが、外部記憶装置Ｘに対して、保存したジョブ引継ぎデータを添付したジョブデータの更新を行って引継ぎ許可時刻を延期する処理を開始し、不具合が発生するか又はジョブが終了してジョブデータを削除するまで、引継ぎ許可時刻が経過しないように一定間隔で繰り返す（Ｐ１００４）。
【０１３１】
（２８）〜（３３）図９のＰ４２６〜Ｐ４３１と同様。
＜変形例＞
上記引継ぎ動作１〜５においては、ジョブの途中で不具合が発生し、自装置や他の画像形成装置がジョブを引き継ぐ場合において、途中のページまでプリント済みであったりスキャン済み等であっても、ジョブを引き継いだ画像形成装置がプリント処理やスキャン処理等を途中のページから継続して実行することはせず、各処理の最初のページから実行している。
【０１３２】
本変形例の各画像形成装置は、プリント処理やスキャン処理等を実行する際に、１ページ処理する毎に、外部記憶装置に保存したジョブ引継ぎデータを添付したジョブデータを書換えて、ジョブを正常に完了できない場合に、ジョブを引き継いだ画像形成装置が、途中のページから継続して実行することができるように、ジョブデータの条件付きの登録を更新し、またスキャン処理においては１ページ処理する毎に、スキャンした画像データを外部記憶装置に保存し、一方ジョブを引き継ぐ際には、外部記憶装置に保存された１ページ処理する毎に書換えられた条件付きのジョブデータとページ単位で保存された画像データとに基づいて、途中のページから継続して実行する。
【０１３３】
以下に、引継ぎ動作２を元にした本変形例を説明する。
図２４は、本実施の形態の画像形成装置においてプリントジョブが正常に動作せず、プリントジョブを引き継いだ画像形成装置がプリント処理を途中のページから継続して実行する場合の、画像形成装置Ａ、外部記憶装置Ｘ、及び画像形成装置Ｂの間で行なわれるデータ転送の概略を示す図である。
【０１３４】
ここで画像形成装置Ａは、上記の画像形成装置１、２、３の何れかに相当し、外部記憶装置Ｘはハードディスクドライブ４ｂ、及びＮＡＳ６の何れかに相当し、画像形成装置Ｂは画像形成装置Ａを除く画像形成装置１、２、３の何れかに相当する。
またここでは、外部記憶装置Ｘに、各機能アプリ、及びプリントすべき画像データが記憶されているものとする。
【０１３５】
なお、引継ぎ動作２の図９の動作と同様の部分には同一番号を付し、その説明を省略する。
（１）〜（５）図９のＰ３０１〜Ｐ３０５と同様。
（６）画像形成装置Ａがプリント処理を開始し（Ｐ１１０１）、１枚プリントする毎に、ジョブを引き継いだ画像形成装置が画像形成装置Ａでプリント済みのページのプリントをせずに、途中のページから継続してプリント処理を実行するように、外部記憶装置Ｘに条件付きで保存しているジョブデータを書換える（Ｐ１１０２）。
【０１３６】
（７）〜（１３）図９のＰ３０７〜Ｐ３１３と同様。
（１４）画像形成装置Ｂがプリント処理を開始し（Ｐ１１０３）、１枚プリントする毎に、ジョブを引き継いだ画像形成装置が画像形成装置Ａでプリント済みのページのプリントをせずに、途中のページから継続してプリント処理を実行するように、外部記憶装置Ｘに条件付きで保存しているジョブデータを書換える（Ｐ１１０４）。
【０１３７】
（１５）〜（２０）図９のＰ３１５〜Ｐ３２０と同様。
図２５、図２６は、本実施の形態の画像形成装置においてコピージョブが正常に動作せず、ジョブを引き継いだ画像形成装置がスキャン処理又はプリント処理を途中のページから継続して実行する場合の、画像形成装置Ａ、外部記憶装置Ｘ、及び画像形成装置Ｂの間で行なわれるデータ転送の概略を示す図である。
【０１３８】
ここで画像形成装置Ａは、上記の画像形成装置１、２、３の何れかに相当し、外部記憶装置Ｘはハードディスクドライブ４ｂ、及びＮＡＳ６の何れかに相当し、画像形成装置Ｂは画像形成装置Ａを除く画像形成装置１、２、３の何れかに相当する。
またここでは、外部記憶装置Ｘに各機能アプリが記憶されているものとする。
なお、引継ぎ動作２図１０、図１１の動作と同様の部分には同一番号を付し、その説明を省略する。
【０１３９】
（１）〜（４）図１０のＰ４０１〜Ｐ４０４と同様。
（５）画像形成装置Ａがスキャン処理を開始し（Ｐ１２０１）、１枚スキャンする毎に，スキャンした画像データを外部記憶装置に記憶し、さらにジョブを引き継いだ画像形成装置が画像形成装置Ａでスキャン済みのページのスキャンをせずに、途中のページから継続してスキャン処理を実行するように、外部記憶装置Ｘに条件付きで保存しているジョブデータを書換える（Ｐ１２０２）。
【０１４０】
（６）〜（１２）図１０のＰ４０６〜Ｐ４１２と同様。
（１３）画像形成装置Ａがスキャン処理を開始し（Ｐ１２０３）、１枚スキャンする毎に，スキャンした画像データを外部記憶装置に記憶し、さらにジョブを引き継いだ画像形成装置が画像形成装置Ａでスキャン済みのページのスキャンをせずに、途中のページから継続してスキャン処理を実行するように、外部記憶装置Ｘに条件付きで保存しているジョブデータを書換える（Ｐ１２０４）。
【０１４１】
（１４）図１０のＰ４１４と同様。
（１５）画像形成装置Ａがプリント処理を開始し（Ｐ１２０５）、１枚プリントする毎に、ジョブを引き継いだ画像形成装置が画像形成装置Ａでプリント済みのページのプリントをせずに、途中のページから継続してプリント処理を実行するように、外部記憶装置Ｘに条件付きで保存しているジョブデータを書換える（Ｐ１２０６）。
【０１４２】
（１６）〜（２２）図１１のＰ４１８〜Ｐ４２４と同様。
（２３）画像形成装置Ｂがプリント処理を開始し（Ｐ１２０６）、１枚プリントする毎に、ジョブを引き継いだ画像形成装置が画像形成装置Ａでプリント済みのページのプリントをせずに、途中のページから継続してプリント処理を実行するように、外部記憶装置Ｘに条件付きで保存しているジョブデータを書換える（Ｐ１２０７）。
【０１４３】
（２４）〜（２９）図１１のＰ４２６〜Ｐ４３１と同様。
なお、画像形成装置に本実施の形態のような動作を実行させることができるプログラムがコンピュータ読み取り可能な記録媒体に記録され、この記録媒体が流通し取り引きの対象となり得る。また、当該プログラムは、例えばネットワーク等を介して流通して取り引きの対象となり得、また、表示装置に表示されたり印刷されて、利用者に提示されることもあり得る。
【０１４４】
ここでコンピュータ読み取り可能な記録媒体とは、例えば、フロッピー（登録商標）ディスク、ＣＤ、ＭＯ、ＤＶＤ、メモリカード等の着脱可能な記録媒体、及び、ハードディスク、半導体メモリ等の固定記録媒体等であり、特に限定されるものではない。
【産業上の利用可能性】
【０１４５】
本発明は、ＭＦＰなどの画像形成装置の技術分野に広く適用することができる。
本発明によって、ジョブデータの送信ができないような異常が発生した場合においてもジョブデータの消失を防止すると共に、長時間ジョブの再開ができない場合であっても当該ジョブを完了させることができるので、信頼性の高いシステムの構築に寄与することができその産業的利用価値は極めて高い。
【図面の簡単な説明】
【０１４６】
【図１】本実施の形態における画像形成システムの全体構成を模式的に示す図である。
【図２】本実施の形態における画像形成装置１のハードウェア構成の概略を示す図である。
【図３】操作パネルの外観及び液晶画面の表示例を示す図である。
【図４】本実施の形態における画像形成装置１の基本的なソフトウェア構成の概略を示す図である。
【図５】本実施の形態の外部記憶装置の保存内容、及び画像形成装置と外部記憶装置とのデータ転送の概要を示す図である。
【図６】本実施の形態の画像形成装置においてプリントジョブが正常に動作しない場合の、画像形成装置Ａと外部記憶装置Ｘとの間で行なわれるデータ転送の概略を示す図である。
【図７】本実施の形態の画像形成装置においてコピージョブが正常に動作しない場合の、画像形成装置Ａと外部記憶装置Ｘとの間で行なわれるデータ転送の概略を示す図の前半である。
【図８】図７の後半である。
【図９】本実施の形態の画像形成装置においてプリントジョブが正常に動作しない場合の、画像形成装置Ａ、外部記憶装置Ｘ、及び画像形成装置Ｂの間で行なわれるデータ転送の概略を示す図である。
【図１０】本実施の形態の画像形成装置においてコピージョブが正常に動作しない場合の、画像形成装置Ａ、外部記憶装置Ｘ、及び画像形成装置Ｂの間で行なわれるデータ転送の概略を示す図の前半である。
【図１１】図１０の後半である。
【図１２】同一のＬＡＮ上に外部記憶装置と３台以上の画像形成装置とが接続されている場合のジョブデータの監視の様子を模式的に示す図である。
【図１３】本実施の形態の画像形成装置においてプリントジョブが正常に動作せず、指定した画像形成装置にジョブを引継がせる場合の、画像形成装置Ａ、外部記憶装置Ｘ、及び画像形成装置Ｂの間で行なわれるデータ転送の概略を示す図である。
【図１４】本実施の形態の画像形成装置においてコピージョブが正常に動作せず、指定した画像形成装置にジョブを引継がせる場合の、画像形成装置Ａ、外部記憶装置Ｘ、及び画像形成装置Ｂの間で行なわれるデータ転送の概略を示す図の前半である。
【図１５】図１４の後半である。
【図１６】同一のＬＡＮ上に外部記憶装置と３台以上の画像形成装置とが接続されている場合のジョブデータの監視の様子を模式的に示す図である。
【図１７】本実施の形態の画像形成装置においてプリントジョブが正常に動作せず、ジョブを引継がせたい画像形成装置を指定するが自装置においてジョブを引継ぐ場合の、画像形成装置Ａ、外部記憶装置Ｘ、及び画像形成装置Ｂの間で行なわれるデータ転送の概略を示す図の前半である。
【図１８】図１７の後半である。
【図１９】本実施の形態の画像形成装置においてコピージョブが正常に動作せず、ジョブを引継がせたい画像形成装置を指定するが自装置においてジョブを引継ぐ場合の、画像形成装置Ａ、外部記憶装置Ｘ、及び画像形成装置Ｂの間で行なわれるデータ転送の概略を示す図の前半である。
【図２０】図１９の後半である。
【図２１】本実施の形態の画像形成装置において、正常に動作している間はジョブデータを更新し続け、プリントジョブが正常に動作せず、他の画像形成装置にジョブを引継がせる場合の、画像形成装置Ａ、外部記憶装置Ｘ、及び画像形成装置Ｂの間で行なわれるデータ転送の概略を示す図である。
【図２２】本実施の形態の画像形成装置において、正常に動作している間はジョブデータを更新し続け、コピージョブが正常に動作せず、他の画像形成装置にジョブを引継がせる場合の、画像形成装置Ａ、外部記憶装置Ｘ、及び画像形成装置Ｂの間で行なわれるデータ転送の概略を示す図の前半である。
【図２３】図２３の後半である。
【図２４】本実施の形態の画像形成装置においてプリントジョブが正常に動作せず、プリントジョブを引き継いだ画像形成装置がプリント処理を途中のページから継続して実行する場合の、画像形成装置Ａ、外部記憶装置Ｘ、及び画像形成装置Ｂの間で行なわれるデータ転送の概略を示す図である。
【図２５】本実施の形態の画像形成装置においてコピージョブが正常に動作せず、ジョブを引き継いだ画像形成装置がスキャン処理又はプリント処理を途中のページから継続して実行する場合の、画像形成装置Ａ、外部記憶装置Ｘ、及び画像形成装置Ｂの間で行なわれるデータ転送の概略を示す図の前半である。
【図２６】図２５の後半である。
【符号の説明】
【０１４７】
１    画像形成装置
２    画像形成装置
３    画像形成装置
４    サーバ
４ａ  本体
４ｂ  ハードディスクドライブ
５    ＰＣ
６    ＮＡＳ
７    ネットワーク
１０    画像形成システム
１１    スキャナ部
１２    プリンタ部
１３    コントローラ部
１４    ＣＰＵ
１５    システムＲＡＭ
１６    画像ＲＡＭ
１７    ハードディスクドライブ
１８    プログラムＲＯＭ
１９    ＦＡＸモデム
２０    ネットワークカード
２１    操作パネル
２２    タッチパネル式液晶ディスプレイ
２３    スタートキー
２４    ストップキー
２５    テンキー
２６    コピーボタン
２７    スキャンボタン
２８    ＦＡＸボタン
２９    プリントボタン
３０    メモリ蓄積ボタン
３１    不揮発性メモリ
３２    ＯＳ
３３    システムプログラム
３４    操作パネル制御プログラム
３５    タスク制御プログラム
３６    通信制御プログラム
３７    設定管理情報
３８    ＲＡＭ
３９    ＭＦＰシステム制御ＲＡＭ
４０    外部記憶装置
４１    コピー機能アプリ
４２    スキャン機能アプリ
４３    ＦＡＸ機能アプリ
４４    プリント機能アプリ
４５    メモリ蓄積機能アプリ
４６    画像データ
４７    画像ＲＡＭ
５０    ＦＷデータ格納部
５１    ジョブデータ格納部
５２    ユーザデータ格納部
【図１】
2009015360.tif 000003
【図２】
2009015360.tif 000004
【図３】
2009015360.tif 000005
【図４】
2009015360.tif 000006
【図５】
2009015360.tif 000007
【図６】
2009015360.tif 000008
【図７】
2009015360.tif 000009
【図８】
2009015360.tif 000010
【図９】
2009015360.tif 000011
【図１０】
2009015360.tif 000012
【図１１】
2009015360.tif 000013
【図１２】
2009015360.tif 000014
【図１３】
2009015360.tif 000015
【図１４】
2009015360.tif 000016
【図１５】
2009015360.tif 000017
【図１６】
2009015360.tif 000018
【図１７】
2009015360.tif 000019
【図１８】
2009015360.tif 000020
【図１９】
2009015360.tif 000021
【図２０】
2009015360.tif 000022
【図２１】
2009015360.tif 000023
【図２２】
2009015360.tif 000024
【図２３】
2009015360.tif 000025
【図２４】
2009015360.tif 000026
【図２５】
2009015360.tif 000027
【図２６】
2009015360.tif 000028